(57)【要約】本発明の香水や化粧品などの商品用のカウンターディスプレイは、ディスプレイ部材（２）に固定された下側端部（３ｂ）と、天井（８）に対して回動するように取り付けられた上側端部（３ａ）との間を延びている連結部材（３）を有している。さらに、鏡（６）が連結部材上に配置されている。
2007530198.tif 000002
【特許請求の範囲】
【請求項１】
香水や化粧品などの商品が取り付けられるように構成されたディスプレイ部材（２）を有する、香水や化粧品などの商品用のカウンターディスプレイにおいて、
前記ディスプレイ部材（２）に固定された下側端部（３ｂ）と、天井（８）に対して回動するように取り付けられるように構成された、前記ディスプレイ部材（２）を前記天井（８）から床に接触しない状態で吊り下げる部品の上側部分を形成する上側端部（３ａ）との間を延びている連結部材（３）を有することと、
鏡（６）が前記連結部材（３）に取り付けられており、前記鏡（６）は前記ディスプレイ部材（２）の前に立っている人が前記鏡（６）の中の自身の像を見ることができるように配置されていることと、
を特徴とする、香水や化粧品などの商品用のカウンターディスプレイ。
【請求項２】
前記連結部材（３）は、前記鏡（６）が取り付けられている表側の面（４１）と、照明装置（１２）が取り付けられる裏側の面（４２）とを有している、請求項１に記載のカウンターディスプレイ。
【請求項３】
前記連結部材（３）は前記鏡（６）が取り付けられる垂直パネル（４）を有しており、前記垂直パネル（４）は前記照明装置（１２）が取り付けられる支持パネル（５）へ向かって下向きに延びており、前記支持パネル（５）は９０°から１３５°の角度で前記垂直パネル（４）に対して下向きに傾いている、請求項２に記載のカウンターディスプレイ。
【請求項４】
前記連結部材（３）の前記垂直パネル（４）と前記支持パネル（５）は、下向きに傾いた面（５２）と照明装置（１２）が取り付けられる裏側の面（４２）とをそれぞれ有しており、それらの面は、照明を前記カウンターディスプレイの裏面および底面の方へ散乱させることを可能にする少なくとも１つの実質的に透光性のカバー（１３）によって覆われている、請求項３に記載のカウンターディスプレイ。
【請求項５】
前記連結部材（３）は前記鏡（６）が取り付けられる垂直パネル（４）を有しており、前記垂直パネル（４）は、９０°から１３５°の角度で前記垂直パネル（４）に対して傾いている前記ディスプレイ部材（２）へ向かって下向きに延びている、請求項２に記載のカウンターディスプレイ。
【請求項６】
前記連結部材（３）の前記垂直パネル（４）と前記ディスプレイ部材（２）は、照明装置（１２）が取り付けられる裏側の面（４２）と下向きに傾いた面（２３）とをそれぞれ有しており、それらの面は、照明を前記カウンターディスプレイの裏面および底面の方へ散乱させることを可能にする少なくとも１つの実質的に透光性のカバー（１３）によって覆われている、請求項５に記載のカウンターディスプレイ。
【請求項７】
前記連結部材（３）は、下向きに傾いたプレート（１３ｃ）へ向かって延びている裏側のプレート（１３ａ）と、前記カウンターディスプレイの両側を照明することも可能にするために前記裏側のプレート（１３ａ）および前記下向きに傾いたプレート（１３ｃ）を前記カウンターディスプレイに連結する側縁（１３ｂ）とを有している、請求項４または６に記載のカウンターディスプレイ。
【請求項８】
前記連結部材（３）の前記上側端部（３ａ）は前記天井（８）への取付手段（７）を備えたバー（９）によって構成されており、前記取付手段（７）は前記バー（９）を垂直軸を中心として前記天井（８）に対して回動することを可能にしている、請求項１から７のいずれか１項に記載のカウンターディスプレイ。
【発明の詳細な説明】
【技術分野】
【０００１】
本発明は、香水や化粧品などの商品が取り付けられるように構成されたディスプレイ部材を有する、香水や化粧品などの商品用のカウンターディスプレイに関する。
【背景技術】
【０００２】
ディスプレイ部材は、それ自体がある程度知られているように、床の上に直接置かれているベースに固定されている間は大抵は下向きに傾いている。しかしながら、一般に、そのようなカウンターディスプレイはかなりかさばり、そのため、カウンターディスプレイを収容するために比較的広い領域を床の上に取っておく必要がある。さらに、床上のこの領域は、前記のカウンターディスプレイ、より正確にはそのベースが不安定な姿勢になることを防ぐために、完全に平坦でなければならない。
【発明の開示】
【発明が解決しようとする課題】
【０００３】
本発明の目的は、特に、上述した欠点を和らげることにある。
【課題を解決するための手段】
【０００４】
上記目的のために、本発明によれば、カウンターディスプレイは、ディスプレイ部材に固定された下側端部と、天井に対して回動するように取り付けられるように構成された、ディスプレイ部材を天井から床に接触しない状態で吊り下げる部品の上側部分を形成する上側端部との間を延びている連結部材を有することと、鏡が連結部材に取り付けられており、鏡はディスプレイ部材の前に立っている人が鏡の中の自身の像を見ることができるように配置されていることと、を特徴とする。
【０００５】
本発明の好ましい態様では、以下の１つ又はさらに他の構成をオプションで用いることも可能である。
−天井に対して回動するように取り付けられるように構成された、連結部材の上側端部
−連結部材は、鏡が取り付けられている表側の面と、照明装置が取り付けられる裏側の面とを有している
−連結部材は鏡が取り付けられる垂直パネルを有しており、垂直パネルは照明装置が取り付けられる支持パネルへ向かって下向きに延びており、支持パネルは９０°から１３５°の角度で垂直パネルに対して下向きに傾いている
−連結部材の垂直パネルと支持パネルは、下向きに傾いた面と照明装置が取り付けられる裏側の面とをそれぞれ有しており、それらの面は、照明をカウンターディスプレイの裏面および底面の方へ散乱させることを可能にする少なくとも１つの実質的に透光性のカバーによって覆われている
−連結部材は鏡が取り付けられる垂直パネルを有しており、垂直パネルは、９０°から１３５°の角度で垂直パネルに対して傾いているディスプレイ部材へ向かって下向きに延びている
−連結部材の垂直パネルとディスプレイ部材は、照明装置が取り付けられる裏側の面と下向きに傾いた面とをそれぞれ有しており、それらの面は、照明をカウンターディスプレイの裏面および底面の方へ散乱させることを可能にする少なくとも１つの実質的に透光性のカバーによって覆われている
−連結部材は、下向きに傾いたプレートへ向かって延びている裏側のプレートと、カウンターディスプレイの両側を照明することも可能にするために裏側のプレートおよび下向きに傾いたプレートをカウンターディスプレイに連結する側縁とを有している
−連結部材の上側端部は天井への取付手段を備えたバーによって構成されており、取付手段はバーを垂直軸を中心として天井に対して回動することを可能にしている
本発明の他の特徴および利点は、添付した図を参照して非制限的な例として挙げられた以下の２つの実施形態の説明の中において、明らかになるであろう。
【発明を実施するための最良の形態】
【０００６】
各図において、同じ参照番号は同一または同種の部材を示している。
【０００７】
図１から図３は、特に、一例として、香水や化粧品からなる商品用のカウンターディスプレイ１の第１の実施形態を示している。
【０００８】
このカウンターディスプレイ１は展示する商品を収容するように構成されたディスプレイ部材２を有しており、このディスプレイ部材２は、部屋の上側部分を形成している天井８から吊り下げられるように構成された連結部材３によって支持されている。
【０００９】
図２および図３からより詳しくわかるように、連結部材３は、本例では、上側端部３ａと、垂直パネル４と一体に作製されていてもよい支持パネル５を通って下向きに延びている下側端部３ｂとの間を延びている垂直パネル４を有している。この第１の実施形態では、連結部材３の下側端部３ｂは支持パネル５の下側端部と一体になっている。商品が取り付けられるように構成されているディスプレイ部材２は、支持パネル５の表側の面５１に、固定されるように、あるいは取り外し可能に、直接取り付けられている。
【００１０】
垂直パネル４は、ディスプレイ部材２の前、したがって香水や化粧品の前に立っている人が鏡６の中の自身の反射像を見ることができるように配置されている鏡６が固定されるように取り付けられる表側の面４１を有している。本例では、図３を参照すると、鏡６は垂直パネル４の全高にわたって延びている。したがって、垂直パネル４は、ディスプレイ部材２を天井から吊り下げることを可能にすることと、鏡の前に立っている人の像を反射するように構成された鏡６の支持体として機能することとの２つの機能を果たしている。垂直パネル４はまた、支持パネル５の裏側の面５２から延びている裏側の面４２を有しており、その裏側の面４２は下向きに傾き、床に対向して配置されるように構成されている。
【００１１】
垂直パネル４の表側の面４１とディスプレイ部材２の表側の面とによって形成される角度は、９０°から１３５°の間であってもよい。
【００１２】
実質的に長方形形状の垂直パネル４はまた、２つの側縁４３と、後方に延びて実質的に補強部を形成している上縁４４とを有している。支持パネル５はまた、２つの側縁５３と、ディスプレイ部材２から延びた前縁５４とを有している。
【００１３】
連結部材３の上側端部３ａはまた、天井８に取り付けられるように構成された垂直バー９を有している。この垂直バー９は、垂直パネル４の上縁４４に固定された下側端部と、垂直バーに固定された第１のディスク１０および天井８に固定された第２のディスク１１を有する取付手段７を備えた上側端部との間を延びている。第１のディスク１０は、第２のディスク１１によって、第２のディスク１１に対して回転可能に支持されている。それでも、取付手段７を、連結部材３が垂直軸を中心として天井８に対して回動しないように連結部材３を天井８に取り付けることをただ単に行うことができるように構成してもよい。この場合には、垂直バー９、より正確にはその上側端部は、天井８に直接固定されるであろう第１のディスク１０に直接取り付けられていてもよい。
【００１４】
連結部材３を天井８から吊り下げることを可能にする取付手段７は、垂直バー９と第１および第２のディスク１０，１１とを少なくとも部分的に囲む仕切りを形成する、天井８に直接固定されているつり天井８ａによって少なくとも部分的に覆われていてもよい。
【００１５】
本発明の他の特徴によれば、垂直パネル４の裏側の垂直な面４２および支持パネル５の下向きに傾いた裏側の面５２が、例えば、一定の間隔で配置されたネオンランプによって構成された複数の光源装置１２を備えていてもよい。これらの光源装置１２には、例えば、垂直バー９の内部を通り、かつ部屋の天井８に構成された電源に接続されている電気接続を介して電力が供給される。
【００１６】
これらの光源装置１２は、垂直パネル４の外形および支持パネル５の外形を実質的に補完する外形を有する少なくとも１つのカバー１３によって覆われている。より詳しくは、このカバー１３は、垂直パネル４の裏側の面４２に対向して垂直に延びている裏側のプレート１３ａを有している。カバー１３のこの裏側のプレート１３ａは、支持パネル５と平行な下向きに傾いたプレート１３ｃへ向かって延びている。カバー１３はまた、前方に延びており、かつ垂直パネル４および支持パネル５の側縁４３および５３と、垂直パネル４の上縁４４と、支持パネル５の前縁５４とにそれぞれ係合する側縁１３ｂを有している。
【００１７】
このカバー１３は、照明を、カバーの裏側の部分１３ａを通ってカウンターディスプレイの裏側へ、かつカバー１３の側縁１３ｂを通ってカバーの両側へ散乱させるだけでなく、カバーの底部へ向かって、下向きに傾いたプレート１３ｃを通って床の方向へ散乱させることを可能にする実質的に透光性の材料で作製されている。
【００１８】
したがって、連結部材３の裏側の面上に配置された複数の光源装置１２と、透光性のカバー１３とによって、カウンターディスプレイの周囲で光が反射し、鏡６のすぐ前に立っている人および商品用のディスプレイ部材２のための拡散照明を得ることが可能になっている。
【００１９】
図４は、本発明の第２の実施形態を示している。
【００２０】
この第２の実施形態では、連結部材３はただ単に、上側端部４ａと、連結部材の下側端部３ｂと一体になっている下側端部４ｂとの間を延びる垂直パネル４によって構成されている。商品用のディスプレイ部材２は、連結部材３の垂直パネル４の下側端部４ｂに直接固定されている。
【００２１】
ディスプレイ部材２はまた、照明装置１２が取り付けられる補強部を形成するように、前縁２１と、垂直パネル４の側縁４３から延びている側縁２２とを有している。より詳しくは、これらの照明装置１２は垂直パネル４の裏側の面４２と、下向きに傾き、床に対向して配置されるように構成されているディスプレイ部材２の裏側の面２３とに取り付けられる。
【００２２】
さらに、連結部材３を天井８から吊り下げることを可能にする垂直バー９と取付手段７とは、図１から図３に示した第１の実施形態に関して上述したそれらの構成と同一である。
【００２３】
同様に、カウンターディスプレイの裏側の部分を覆うように構成されたカバー１３も上述した構成と同一であり、そのことの他に、カバーの側縁１３ｂは、ディスプレイ部材２の側縁２２および垂直パネル４の側縁４３と直接的に相互に作用する。
【図面の簡単な説明】
【００２４】
【図１】本発明の第１の実施形態に係るカウンターディスプレイの概略斜視図である。
【図２】図１に示したカウンターディスプレイの連結部材の裏面側の斜視図である。
【図３】図１に示したカウンターディスプレイの対称面における断面図である。
【図４】本発明の第２の実施形態に係るカウンターディスプレイの対称面における断面図である。
【図１】
2007530198.tif 000003
【図２】
2007530198.tif 000004
【図３】
2007530198.tif 000005
【図４】
2007530198.tif 000006
【手続補正書】
【提出日】平成18年11月30日(2006.11.30)
【手続補正１】
【補正対象書類名】明細書
【補正対象項目名】０００２
【補正方法】変更
【補正の内容】
【０００２】
ディスプレイ部材は、それ自体がある程度知られているように、床の上に直接置かれているベースに固定されている間は大抵は下向きに傾いている。しかしながら、一般に、そのようなカウンターディスプレイはかなりかさばり、そのため、カウンターディスプレイを収容するために比較的広い領域を床の上に取っておく必要がある。さらに、床上のこの領域は、前記のカウンターディスプレイ、より正確にはそのベースが不安定な姿勢になることを防ぐために、完全に平坦でなければならない。
特許文献１には、連結部材に固定されるように構成され、天井に取り付けられたディスプレイ部材を有する、商品用のカウンターディスプレイが記載されている。
【特許文献１】米国特許第６０１００１７号明細書
【手続補正２】
【補正対象書類名】明細書
【補正対象項目名】０００３
【補正方法】変更
【補正の内容】
【０００３】
しかしながら、そのカウンターディスプレイは、天井に回動するように取り付けることができず、また、ディスプレイ部材の前に立っている人が鏡の中の自身の像を見ることができるようにディスプレイ部材に取り付けられるであろう鏡を有していない。
本発明の目的は、特に、上述した欠点を和らげることにある。
【手続補正３】
【補正対象書類名】明細書
【補正対象項目名】０００５
【補正方法】変更
【補正の内容】
【０００５】
本発明の好ましい態様では、以下の１つ又はさらに他の構成をオプションで用いることも可能である。
−連結部材は、鏡が取り付けられる表側の面と、照明装置が取り付けられる裏側の面とを有している
−連結部材は鏡が取り付けられる垂直パネルを有しており、垂直パネルは照明装置が取り付けられる支持パネルへ向かって下向きに延びており、支持パネルは９０°から１３５°の角度で垂直パネルに対して下向きに傾いている
−連結部材の垂直パネルと支持パネルは、下向きに傾いた面と照明装置が取り付けられる裏側の面とをそれぞれ有しており、それらの面は、照明をカウンターディスプレイの裏面および底面の方へ散乱させることを可能にする少なくとも１つの実質的に透光性のカバーによって覆われている
−連結部材は鏡が取り付けられる垂直パネルを有しており、垂直パネルは、９０°から１３５°の角度で垂直パネルに対して傾いているディスプレイ部材へ向かって下向きに延びている
−連結部材の垂直パネルとディスプレイ部材は、照明装置が取り付けられる裏側の面と下向きに傾いた面とをそれぞれ有しており、それらの面は、照明をカウンターディスプレイの裏面および底面の方へ散乱させることを可能にする少なくとも１つの実質的に透光性のカバーによって覆われている
−連結部材は、下向きに傾いたプレートへ向かって延びている裏側のプレートと、カウンターディスプレイの両側を照明することも可能にするために裏側のプレートおよび下向きに傾いたプレートをカウンターディスプレイに連結する側縁とを有している
−連結部材の上側端部は天井への取付手段を備えたバーによって構成されており、取付手段はバーを垂直軸を中心として天井に対して回動することを可能にしている
本発明の他の特徴および利点は、添付した図を参照して非制限的な例として挙げられた以下の２つの実施形態の説明の中において、明らかになるであろう。
【国際調査報告】
2007530198.tif 000007
2007530198.tif 000008
2007530198.tif 000009
2007530198.tif 000010
2007530198.tif 000011
2007530198.tif 000012